(57)【要約】【課題】飲食物のオーナーと、当該飲食物を食する権限を有する１人以上の権限者の夫々との間の親密度等の属性に応じて、当該１人以上の権限者の夫々に提供される当該飲食物の一部についての値段を決定すること。【解決手段】飲食物を所有するオーナーＧを含む、当該飲食物を食する権限を有する権限者Ｋに対して、当該飲食物の一部を提供する役務を支援するサーバ１において、属性決定部１０１は、オーナーＧから見た権限者Ｋの属性を決定する。値段決定部１０２は、属性決定部１０１により決定された権限者Ｋの属性に応じて、権限者Ｋに対して飲食物の一部を提供する際の値段を決定する。ログ管理部１０３は、飲食物の一部を提供する際に、値段決定部１０２により決定された値段を含むログデータを１人以上の権限者Ｋの夫々について管理する。【選択図】図３
2019020847.tif 000002
【特許請求の範囲】
【請求項１】
飲食物を所有するオーナーを含む、当該飲食物を食する権限を有する権限者に対して、当該飲食物の一部を提供する役務を支援する情報処理装置において、
前記オーナーから見た前記権限者の属性を決定する属性決定手段と、
前記属性決定手段により決定された前記権限者の属性に応じて、当該権限者に対して前記飲食物の一部を提供する際の値段を決定する値段決定手段と、
前記飲食物の一部を提供する際に、前記値段決定手段により決定された前記値段を含むログデータを、１人以上の前記権限者の夫々について管理するログ管理手段と、
を備える情報処理装置。
【請求項２】
前記飲食物が、ハムの肉塊であり、
前記役務の提供が、前記ハムの肉塊を所有するオーナーを含む、当該ハムの肉塊を食する権限を有する権限者に対して、当該ハムの肉塊の一部を切り取り提供することである、
請求項１に記載の情報処理装置。
【請求項３】
前記ログ管理手段は、さらに、直近に前記ハムの肉塊の一部を切り取った日付と、直近に一部を切り取られた後の前記ハムの肉塊の状況を示すハム状態情報とを管理し、
前記オーナーが操作するオーナー端末と、前記役務を提供する者が操作する提供者端末との夫々に対して前記ハム状態情報を提示する提示手段をさらに備える、
請求項２に記載の情報処理装置。
【請求項４】
前記ハム状態情報と、前記権限者の属性とに基づいて、前記ハムの肉塊を次に切り取る際の切り方を提案する提案手段をさらに備える、
請求項３に記載の情報処理装置。
【請求項５】
前記ログ管理手段は、さらに、前記オーナーに関する情報を管理する、
請求項１乃至４のうち何れか１項に記載の情報処理装置。
【発明の詳細な説明】
【技術分野】
【０００１】
本発明は、情報処理装置に関する。
【背景技術】
【０００２】
従来より、見積情報に基づく見積書の出力を実行する出力手段を備えた見積書作成支援システム（特許文献１参照）や、製品売価の見直し行う製品価格決定支援装置は存在する（特許文献２参照）。
【先行技術文献】
【特許文献】
【０００３】
【特許文献１】特開２００５−２５８６１４号公報
【特許文献２】特開２０１１−２３８０９２号公報
【発明の概要】
【発明が解決しようとする課題】
【０００４】
しかしながら、特許文献１及び特許文献２に記載された技術では、飲食物を所有する者と、当該飲食物を食する者の間の関係性に応じて、当該飲食物を食する者に提供される当該飲食物の値段を決定することはできない。
【０００５】
本発明は、このような状況に鑑みてなされたものであり、飲食物のオーナーと、当該飲食物を食する権限を有する１人以上の権限者の夫々との間の親密度等の属性に応じて、当該１人以上の権限者の夫々に提供される当該飲食物の一部についての値段を決定する手段を提供すること目的とする。
【課題を解決するための手段】
【０００６】
上記目的を達成するため、本発明の一態様である情報処理装置は、
ハムの肉塊を所有するオーナーを含む、当該ハムの肉塊を食する権限を有する権限者に対して、当該ハムの肉塊の一部を切り取り提供する役務を支援する情報処理装置において、
前記権限者に対して前記ハムの肉塊の一部を切り取り提供する際の値段を、前記オーナーから見た当該権限者の属性に応じて決定する値段決定手段と、
前記権限者毎に、前記ハムの肉塊の一部を切り取り提供する際に前記値段決定手段により決定された前記値段を含むログデータを管理するログ管理手段と、
を備える。
【０００７】
また、前記ログ管理手段は、さらに、直近に前記ハムの肉塊を切り取った日付と、ハム状態情報とを管理し、
前記オーナーのオーナー端末と、前記役務の提供者の提供者端末との夫々に対して前記ハム状態情報を提示する提示手段をさらに備えることができる。
【０００８】
また、前記ログ管理手段は、さらに、前記オーナーに関する情報を管理することができる。
【０００９】
また、前記ハム状態情報と、前記権限者の属性とに基づいて、前記ハムの肉塊を次に切り取る際の切り方を提案する提案手段をさらに備えることができる。
【発明の効果】
【００１０】
本発明によれば、飲食物のオーナーと、当該飲食物を食する権限を有する１人以上の権限者の夫々との間の親密度等の属性に応じて、１人以上の権限者の夫々に提供される当該飲食物の一部についての値段を決定することができる。
【図面の簡単な説明】
【００１１】
【図１】本発明の情報処理装置の一実施形態であるサーバを含む、情報処理システムの構成図である。
【図２】図１の情報処理システムのうち、サーバのハードウェア構成を示すブロック図である。
【図３】図２サーバの機能的構成のうち、値段決定処理、ログ管理処理、状態提示処理、及びカット提案処理を実現するための機能的構成の一例を示す機能ブロック図である。
【図４】図３のサーバが実行する値段決定処理の流れを説明するフローチャートである。
【図５】図３のサーバが実行する値段決定処理及びログ管理処理の具体例を示すイメージ図である。
【発明を実施するための形態】
【００１２】
以下、本発明の実施形態について図面を用いて説明する。
【００１３】
図１は、本発明の情報処理装置の一実施形態であるサーバ１を含む、情報処理システムの構成図である。
【００１４】
図１に示す情報処理システムは、サーバ１と、オーナーＧにより操作されるオーナー端末２と、提供者Ｐにより操作される提供者端末３とを含むように構成されている。
サーバ１と、オーナー端末２と、提供者端末３とは、インターネット（Ｉｎｔｅｒｎｅｔ）等のネットワークＮを介して相互に接続されている。
【００１５】
サーバ１は、図１に示す情報処理システムを管理するサーバであり、例えば、オーナー端末２及び提供者端末３に対して所定の情報の送信を行う。
オーナー端末２は、オーナーＧが操作する情報処理装置であって、例えばスマートフォン等で構成される。
提供者端末３は、提供者Ｐが操作する情報処理装置であって、例えばスマートフォン等で構成される。
【００１６】
「オーナー」とは、所定の飲食物を所有する者をいう。例えば、飲食物としてのハムの肉塊を所有する者は「オーナー」の一例である。
「提供者」とは、飲食物のオーナーを含む当該飲食物を食する権限を有する者（以下「権限者」と呼ぶ）に対して、当該飲食物の一部を提供する者をいう。具体的には例えば、当該飲食物を提供するレストランの経営者は「提供者」の一例である。
【００１７】
図２は、図１の情報処理システムのうち、サーバ１のハードウェア構成を示すブロック図である。
【００１８】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００１９】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２１】
出力部１６は各種液晶ディスプレイ等で構成され、各種情報を出力する。
入力部１７は、各種ハードウェア鉛等で構成され、各種情報を入力する。
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置との間で行う通信を制御する。
【００２２】
ドライブ２０は、必要に応じて設けられる。ドライブ２０には磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。またリムーバブルメディア３０は、記憶部１８に記憶されている各種データも、記憶部１８と同様に記憶することができる。
【００２３】
次に、このようなハードウェア構成を持つサーバ１の機能的構成について、図３を参照して説明する。
【００２４】
図３は、図１の情報処理システムにおける図２のサーバ１の機能的構成のうち、値段決定処理、ログ管理処理、状態提示処理、及びカット提案処理を実現するための機能的構成の一例を示す機能ブロック図である。なお、本発明における「飲食物」をハムの肉塊Ｍとした場合を想定して説明する。
【００２５】
「値段決定処理」とは、サーバ１が実行する処理のうち、１人以上の権限者Ｋの夫々に対して、ハムの肉塊Ｍの一部Ｓが切り取られて提供される際の各権限者Ｋ毎の値段を、ハムの肉塊ＭのオーナーＧから見た各権限者Ｋの属性に応じて決定する処理をいう。
「属性」とは、オーナーＧから見た、１人以上の権限者Ｋの夫々の立場を意味する。具体的には例えば、権限者Ｋのうち、オーナーＧ自身の属性は「本人」となる。また、権限者Ｋのうち、オーナーＧが経営する会社で働く社員Ｅの属性は「社員」となる。また、権限者Ｋのうち、オーナーＧが経営する会社の顧客Ｃの属性は「顧客（又は接待相手）」となる。
【００２６】
「ログ管理処理」とは、サーバ１が実行する処理のうち、１人以上の権限者Ｋの夫々にハムの肉塊Ｍの一部Ｓが切り取られて提供されたときに、値段決定部１０２により決定された値段を含むログデータを管理する処理である。
【００２７】
「状態提示処理」とは、サーバ１が実行する処理のうち、オーナーＧが操作するオーナー端末２と、提供者Ｐが操作する提供者端末３との夫々に対して、ハム状態情報を提示する処理である。
「ハム状態情報」とは、直近に切り取った後のハムの肉塊Ｍの状況をいう。
【００２８】
「カット提案処理」とは、サーバ１が実行する処理のうち、ハム状態情報と、権限者Ｋの属性とに基づいて、ハムの肉塊Ｍを次に切り取る際の切り方を提案する処理である。
【００２９】
図３に示すように、サーバ１のＣＰＵ１１（図２）においては、値段決定処理が実行される場合には、属性決定部１０１と、値段決定部１０２とが機能する。また、ログ管理処理が実行される場合には、ログ管理部１０３が機能する。また、状態提示処理が実行される場合には、状態提示部１０４が機能する。また、カット提案処理が実行される場合には、カット提案部１０５が機能する。
記憶部１８（図２）の一領域には、ログＤＢ４０１が設けられている。
【００３０】
属性決定部１０１は、オーナーＧから見た権限者Ｋの属性を決定する。具体的には、権限者Ｋが１人以上存在する場合には、その１人以上の権限者Ｋの夫々について属性が決定される。例えば、上述の例のように、オーナーＧの会社の顧客Ｃの属性は「顧客（又は接待相手）」に決定される。
値段決定部１０２は、属性決定部１０１により決定された権限者Ｋの属性に応じて、権限者Ｋに対してハムの肉塊Ｍの一部Ｓを提供する際の値段を決定する。例えば、権限者Ｋが、オーナーＧの会社の社員Ｅの属性が「社員」に決定された場合には、社員Ｅに対し提供されるハムの肉塊Ｍの一部Ｓの値段は「社員」という属性に応じた金額が決定される。また、オーナーＧの会社の顧客Ｃの属性が「顧客（又は接待相手）」に決定された場合には、顧客Ｃ提供されるハムの肉塊Ｍの一部Ｓの値段は「顧客（又は接待相手）」という属性に応じた金額が決定される。これにより、オーナーＧと権限者Ｋとの間の親密度等、オーナーＧから見た権限者Ｋの属性に応じて、権限者Ｋに対し提供されるハムの肉塊Ｍの一部Ｓの値段を決定することができる。具体的には例えば、社員Ｅに提供されるハムの肉塊Ｍの一部Ｓの値段を社員価格として、顧客Ｃに提供されるハムの肉塊Ｍの一部Ｓの値段よりも低く設定することができる。
【００３１】
ログ管理部１０３は、ハムの肉塊Ｍの一部Ｓが切り取られて権限者Ｋに提供された際に決定された値段を含むログデータを、各権限者Ｋ毎に管理する。例えば属性が「顧客（又は接待相手）」である権限者Ｋに提供されるハムの肉塊Ｍの一部Ｓについての値段は、ログデータの一部として、ログ管理部１０３によりログＤＢ４０１に記憶されて管理される。
これにより、ログ管理部１０３は、オーナーＧから見た権限者Ｋの属性に応じて、権限者Ｋが食したハムの値段についての経理上の仕訳項目を管理することができる。具体的には例えば、ログ管理部１０３は、オーナーＧ又は権限者Ｋが食したハムの値段を、会議費と福利厚生費と販売促進費とに分けて管理することができる。この場合、オーナーＧは、会議費と福利厚生費と販売促進費とでハムの値段に変化を持たせることができる。
値段決定部１０２は、権限者Ｋが食したハムの値段を、以下のように決定することもできる。即ち、値段決定部１０２は、会議費として計上する場合には１，０００円とし、福利厚生費として計上する場合には５００円とし、販売促進費として計上する場合には２，０００円として決定することができる。このとき、ログ管理部１０３は、属性と値段決定部１０２により決定された値段とを紐付けて、これをログデータとしてログＤＢ４０１に記憶させて管理する。
これにより、オーナーは、計上された勘定科目毎に金額を管理することが可能となる。具体的には例えば、会議費として計上された金額と、福利厚生費として計上された金額と、販売促進費として計上された具体的金額との夫々を容易に把握することが可能となる。
【００３２】
また、ログ管理部１０３は、直近にハムの肉塊Ｍを切り取った日付と、直近に一部を切り取られた後のハムの肉塊Ｍの状況を示すハム状態情報とを管理する。なお、ハム状態情報の内容は特に限定されない。例えばハムの肉塊Ｍの全体写真や、３次元ＣＡＤデータ等をハム状態情報として管理することができる。
これにより、後述する状態提示部１０４による状態表示処理が実行可能となるため、オーナーＧ及び提供者Ｐは、互いにハムの肉塊Ｍの最新状態をシェアすることが可能となる。例えば、サーバ１は、ハムの肉塊Ｍの次の切り頃を、オーナー端末２及び提供者端末３にショートメール等で通知することができる。
【００３３】
また、ログ管理部１０３は、オーナーＧに関する情報を管理する。なお、オーナーＧに関する情報の内容は特に限定されない。例えば、オーナーＧの誕生日を管理することもできる。この場合、オーナーＧの誕生日に、オーナーＧに花束等をプレゼントする等、オーナーＧに対する各種各様なサービスを提供することができる。
また例えば、オーナーＧに対し、以下に説明するような植樹サービスを提供することが可能となる。
「植樹サービス」とは、オーナーＧの名前が印字されたプレートを付けた樹木を植樹するサービスである。具体的には、オーナーＧの名前が記載されたプレートが２つ作成され、プレートの１つはオーナーＧがキープするハムの肉塊Ｍに付けられ、残りの１つはオーナーＧに提供される樹木に付けられる。そして、プレートが付けられた樹木が植樹される。その後、植樹された樹木が成長する姿の撮像画像等が、オーナーＧに関する情報として管理される。これにより、オーナーＧは、オーナー端末２を用いて、自身に提供された樹木の成長を何時でも確認することができるようになる。このため、植樹サービスは、オーナーＧにとって喜ばしいサービスとなる。
【００３４】
状態提示部１０４は、オーナーＧが操作するオーナー端末２と、提供者Ｐが操作する提供者端末３との夫々に対して、ログ管理部１０３により管理されているハム状態情報を提示する。
これにより、オーナーＧと提供者Ｐとでハムの肉塊Ｍの最新状態をシェアすることが可能となる。
【００３５】
カット提案部１０５は、ログ管理部１０３により管理されているハム状態情報と、権限者Ｋの属性とに基づいて、ハムの肉塊Ｍを次に切り取る際の切り方を提案する。ハムの肉塊Ｍは、全ての部位が同一の品質ではなく、品質が良いために価値が高い部位や、そうでない部位（即ち価値が低い部位）等がある。
これにより、例えばオーナーＧに対しては、価値が高い一番良い部位を切り取って提供し、その他の権限者Ｋや権限者Ｋの同伴者に対しては、別の部位を切って提供するといったような柔軟な対応を取ることが可能となる。
【００３６】
次に、図４を参照して、図３の機能的構成を有するサーバ１が実行する値段決定処理について説明する。
図４は、サーバ１が実行する値段決定処理の流れを説明するフローチャートである。
【００３７】
図４に示すように、サーバ１では、次のような一連の処理が実行される。
ステップＳ１において、属性決定部１０１は、オーナーＧから見た権限者Ｋの属性を決定する。
ステップＳ２において、値段決定部１０２は、属性決定部１０１により決定された権限者Ｋの属性に応じて、権限者Ｋに対してハムの肉塊Ｍの一部Ｓを提供する際の値段を決定する。これにより値段決定処理は終了となる。
以上のような一連の処理がサーバ１によって実行されることにより、権限者Ｋの属性に応じた値段が決定される。
【００３８】
次に、図５を参照して、サーバ１が実行する値段決定処理及びログ管理処理の具体例について説明する。
図５は、サーバ１が実行する値段決定処理及びログ管理処理の具体例を示すイメージ図である。ここで、オーナーＧ、社員Ｅ、及び顧客Ｃの夫々は、飲食物としてのハムの肉塊Ｍを食する権限を有する権限者Ｋ１乃至Ｋ３の夫々に該当する。
【００３９】
図５に示すように、ハムの肉塊Ｍの所有者であるオーナーＧ（権限者Ｋ１）の属性は、属性決定部１０１によって「本人」に決定される。すると、値段決定部１０２は、オーナーＧの属性が「本人」に決定されたことに応じて、オーナーＧに切り分けられたハムの肉塊Ｍの一部Ｓ１の値段を「１，０００円」に決定する。
また、オーナーＧが経営する会社の社員Ｅ（権限者Ｋ２）の属性は、属性決定部１０１によって「社員」に決定される。すると、値段決定部１０２は、社員Ｅの属性が「社員」に決定されたことに応じて、社員Ｅに切り分けられたハムの肉塊Ｍの一部Ｓ２の値段を「５００円」に決定する。
また、オーナーＧが経営する会社の顧客Ｃ（権限者Ｋ３）の属性は、属性決定部１０１によって「顧客（接待相手）」に決定される。すると、値段決定部１０２は、顧客Ｃの属性が「顧客（接待相手）」に決定されたことに応じて、顧客Ｃに切り分けられたハムの肉塊Ｍの一部Ｓ３の値段を「２，０００円」に決定する。以上が、サーバ１により実行される値段決定処理である。
【００４０】
また、ハムの肉塊Ｍの一部Ｓ１乃至３の夫々について決定された値段は、ログ管理部１０３によりログＤＢ４０１に記憶されて管理される。このとき、これら値段の夫々は、ログ管理部１０３により経理処理上の所定の費用として計上されて記憶される。具体的には例えば、オーナーＧに対し切り分けられたハムの肉塊Ｍの一部Ｓ１の値段１，０００円は、「会議費」として計上される。また、社員Ｅに対し切り分けられたハムの肉塊Ｍの一部Ｓ２の値段５００円は、「福利厚生費」として計上される。また、顧客Ｃに対し切り分けられたハムの肉塊Ｍの一部Ｓ３の値段２，０００円は、「販売促進費」として計上される。
これにより、オーナーＧは、会議費として計上した具体的金額と、福利厚生費として計上した具体的金額と、販売促進費として計上した具体的金額とを容易に区別して把握することが可能となる。
【００４１】
以上、本発明の一実施形態について説明したが、本発明は、上述の実施形態に限定されるものではなく、本発明の目的を達成できる範囲での変形、改良等は本発明に含まれるものである。
【００４２】
例えば、上述した実施形態では、オーナーＧが所有する「飲食物」は、ハムの肉塊Ｍとしているが、これに限定されない。本発明における飲食物は、複数の権限者Ｋの夫々に対して一部を分割して提供することができるものであればよい。例えばボトルキープされたブランデー等の酒類や、チーズの塊等を「飲食物」であってもよい。
また、上述した実施形態では、権限者Ｋの「属性」として、「本人」、「社員」、及び「顧客（接待相手）」が例示されているが、これらに限定されない。オーナーＧが所有する飲食物の一部を分割提供され得る者であって、オーナーＧから見たあらゆる立場を「属性」とすることができる。例えばオーナーＧから見た「親族」も「属性」の一例である。
【００４３】
また、図２に示す各ハードウェア構成は、本発明の目的を達成するための例示に過ぎず、特に限定されない。
【００４４】
また、図３に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図３の例に限定されない。
【００４５】
また、機能ブロックの存在場所も、図３に示す場所に限定されず、任意でよい。例えばサーバ１側の機能ブロックの少なくとも一部を、オーナー端末２側や提供者端末３側に設けてもよいし、その逆でもよい。
そして、１つの機能ブロックは、ハードウェア単体で構成してもよいし、ソフトウェア単体との組み合わせで構成してもよい。
【００４６】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００４７】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００４８】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００４９】
以上まとめると、本発明が適用される情報処理装置は、次のような構成を取れば足り、各種各様な実施形態を取ることができる。
即ち、本発明が適用される情報処理装置（例えば図１のサーバ１）は、
飲食物（例えば図５のハムの肉塊Ｍ）を所有するオーナー（例えば図５のオーナーＧ）を含む、当該飲食物を食する権限を有する権限者（例えば図５の権限者Ｋ１乃至Ｋ３）に対して、当該飲食物の一部（例えば図５のハムの肉塊Ｍの一部Ｓ１乃至Ｓ３）を提供する役務を支援する情報処理装置において、
前記オーナーから見た前記権限者の属性を決定する属性決定手段（例えば図３の属性決定部１０１）と、
前記属性決定手段により決定された前記権限者の属性に応じて、当該権限者に対して前記飲食物の一部を提供する際の値段を決定する値段決定手段（例えば図３の値段決定部１０２）と、
前記飲食物の一部を提供する際に、前記値段決定手段により決定された前記値段を含むログデータを前記権限者の夫々について管理するログ管理手段（例えば図３のログ管理部１０３）と、
を備える。
これにより、飲食物のオーナーＧと、権限者Ｋとの間の親密度等の属性に応じて、権限者Ｋに提供される当該飲食物の一部についての値段を決定することができる。また、オーナーＧから見た権限者Ｋの属性に応じて、権限者Ｋが食した飲食物の値段についての経理上の仕訳項目を管理することができる。
【００５０】
また、前記飲食物は、ハムの肉塊であり、
前記役務の提供が、前記ハムの肉塊を所有するオーナーを含む、当該ハムの肉塊を食する権限を有する権限者に対して、当該ハムの肉塊の一部を切り取り提供することができる。
これにより、ハムの肉塊ＭのオーナーＧと、権限者Ｋとの間の親密度等の属性に応じて、権限者Ｋに提供される当該ハムの肉塊Ｍの一部Ｓについての値段を決定することができる。また、オーナーＧから見た権限者Ｋの属性に応じて、権限者Ｋが食したハムの値段についての経理上の仕訳項目を管理することができる。
【００５１】
また、前記ログ管理手段は、さらに、直近に前記ハムの肉塊の一部を切り取った日付と、直近に一部を切り取られた後の前記ハムの肉塊の状況を示すハム状態情報とを管理し、
前記オーナーが操作するオーナー端末（例えば図１のオーナー端末２）と、前記役務を提供する者（例えば図１の提供者Ｐ）が操作する提供者端末との夫々に対して前記ハム状態情報を提示する提示手段（例えば図３の状態提示部１０４）をさらに備えることができる。
これにより、オーナーＧ及び提供者Ｐは、互いにハムの肉塊Ｍの最新状態をシェアすることが可能となる。
【００５２】
また、前記ハム状態情報と、前記権限者の属性とに基づいて、前記ハムの肉塊を次に切り取る際の切り方を提案する提案手段（例えば図３のカット提案部１０５）をさらに備えることができる。
これにより、権限者Ｋの属性に応じて、価値が高い一番良い部位を切り取って提供したり、これとは異なる部位を切って提供したりといったような柔軟な対応を取ることが可能となる。
【００５３】
また、前記ログ管理手段は、さらに、前記オーナーに関する情報を管理することができる。
これにより、例えばオーナーＧの誕生日に、オーナーＧに花束等をプレゼントする等、オーナーＧに対する各種各様なサービスを提供することができる。
【符号の説明】
【００５４】
１：サーバ
２：オーナー端末
３：提供者端末
１１：ＣＰＵ
１２：ＲＯＭ
１３：ＲＡＭ
１４：バス
１５：入出力インターフェース
１６：出力部
１７：入力部
１８：記憶部
１９：通信部
２０：ドライブ
３０：リムーバブルメディア
１０１：属性決定部
１０２：値段決定部
１０３：ログ管理部
１０４：状態提示部
１０５：カット提案部
４０１：ログＤＢ
Ｇ：オーナー
Ｋ：権限者
Ｍ：ハムの肉塊
Ｐ：提供者
Ｓ：ハムの肉塊の一部
Ｎ：ネットワーク
【図１】
2019020847.tif 000003
【図２】
2019020847.tif 000004
【図３】
2019020847.tif 000005
【図４】
2019020847.tif 000006
【図５】
2019020847.tif 000007